(57)【要約】【課題】単純な構成で動画モードと静止画モードを簡単に切り換えることのできるカメラおよびカメラの制御方法を提供する。【解決手段】カメラ本体１０ａとスライド部１０ｂとから構成され、両者は摺動可能となっており、カメラ本体１０ａに設けられた表示部８ａが覆われる収納状態と、表示部８ａおよび表示部８ｂが露呈する引出状態の２つの状態となる。収納状態では静止画モードとして機能し、引出状態になると動画モードとなり、表示部８ａは動画用として機能し、表示部８ｂは静止画用として機能する。【選択図】  図３
2010206366.tif 000002
【特許請求の範囲】
【請求項１】
互いの位置関係を重ねた第１の状態と、並べた状態の第２の状態に変化可能な第１および第２の表示部を有する表示装置において、
上記第１および第２の表示部における上記第１および第２の状態変化を検出する検出部と、
上記検出部によって検出された上記状態変化に従って、静止画撮影モードから動画撮影モードに切り換える切換制御部と、
を有することを特徴とするカメラ。
【請求項２】
上記第１の表示部に設けられたタッチパネルと、
上記タッチパネルへの操作時に、上記第１の表示部に表示した動画の動きを停止させる表示制御部と、
を有することを特徴とする請求項１に記載のカメラ。
【請求項３】
上記表示制御部は、上記停止した動画に基づいて静止画を切り出し、上記第２の表示部に表示することを特徴とする請求項２に記載のカメラ。
【請求項４】
第１の表示部と、
上記第１の表示部を覆う第１の状態と、上記第１の表示部を露呈させる第２の状態とに相対的に移動可能な第２の表示部と、
上記第１および第２の状態変化を検出する検出部と、
上記検出部によって検出された上記状態変化に従って、静止画モードと動画モードのいずれかに切り換える切換制御部と、
を有することを特徴とするカメラ。
【請求項５】
上記カメラはさらに、
被写体像を光電変換し、画像データを出力する撮像部と、
上記画像データを入力し、静止画用画像データおよび動画用画像データを出力する画像処理部と、
上記静止画用画像データおよび動画用画像データを記録する記録部と、
を有することを特徴とする請求項４に記載のカメラ。
【請求項６】
上記切換制御部によって静止画モードから動画モードに切り換えられた際に、上記第１の表示部は動画表示を、上記第２表示部は静止画表示を行うことを特徴とする請求項４に記載のカメラ。
【請求項７】
上記動画モードに切り換えられた後、上記第１の表示部に対して静止画撮影を指示されたことを検知する指示検知部を有し、この指示検知部によって静止画撮影の指示を検知すること、上記画像データに基づいて上記画像処理部は静止画用画像データを生成することを特徴とする請求項４に記載のカメラ。
【請求項８】
上記指示検知部によって上記指示がなされた場合、直ちに上記生成された静止画用画像データを記録することを特徴とする請求項７に記載のカメラ。
【請求項９】
上記指示検知部は、上記指示に続く第２の指示を検知可能であり、上記第２の指示を検知した場合に、上記生成された静止画用画像データを記録することを特徴とする請求項７に記載のカメラ。
【請求項１０】
上記指示検知部は、タッチパネルであること特徴とする請求項７ないし請求項９に記載のカメラ。
【請求項１１】
上記第１および第２の表示部は、互いに摺動可能、または回動可能であることを特徴とする請求項４に記載のカメラ。
【請求項１２】
動画用画像データを記録する際には、フレームごとに撮影日時情報を記録し、また静止画画像データを記録する際には、上記フレームごとの撮影日情報とリンクするように撮影日時情報を記録することを特徴とする請求項４に記載のカメラ。
【請求項１３】
再生モードに設定されたか否かを判定する再生モード判定部を有し、
上記切換制御部によって、上記動画用モードに切り換えられた後、上記再生モード判定部によって再生モードに設定されたことを判定すると、動画を再生可能とする、
ことを特徴とする請求項４に記載のカメラ。
【請求項１４】
上記再生モード判定部によって、再生モードが設定されたことを判定すると、上記第１の表示部または上記第２の表示部のいずれかに、動画のサムネイル及び／又はインデックス表示を選択用に表示し、選択用に表示されているとは異なる他の表示部に、選択された動画を表示することを特徴とする請求項１３に記載のカメラ。
【請求項１５】
上記再生モードが設定された後、動画の再生中に、指示がなされた場合に、静止画記録を行うことを特徴とする請求項１３に記載のカメラ。
【請求項１６】
互いの位置関係を第１の状態と第２の状態に変更可能な第１および第２の表示部の状態変化を検出し、
上記検出された状態変化に従って、静止画モードと動画モードのいずれかに切り換える、
ことを特徴とするカメラの制御方法。
【発明の詳細な説明】
【技術分野】
【０００１】
本発明は、カメラおよびカメラの制御方法に関し、詳しくは、静止画撮影と動画撮影を簡単に切り換えることのできるカメラおよびカメラの制御方法に関する。
【背景技術】
【０００２】
近年、デジタル写真などを記録する記録装置の大容量化、小型化が進んできており、また、静止画と共に動画の記録を行うことができるようになってきた。ユーザは、動画で撮影を望む場合には、メニューモードや切り替え釦等を操作して動画モードに切り替えてから撮影を開始している。
【０００３】
また、撮影時の構図を決定するためにライブビュー表示を行い、また撮影したデジタル写真を確認できるように、液晶モニタ等の表示部を備えているカメラも普及している。このようなカメラでは、撮影時の観察を容易にするために、複数画面を備えたものも種々提案されている。例えば、特許文献１には、全体画像用モニタと、拡大画像用モニタを備えたカメラが開示されている。このカメラでは、拡大画像用モニタによってピント合わせを容易にすると共に、全体画像用モニタによってフレーミングを同時に行うことができる。
【先行技術文献】
【特許文献】
【０００４】
【特許文献１】特開２００８−２３６４８９号公報
【発明の概要】
【発明が解決しようとする課題】
【０００５】
動画撮影と静止画撮影の切り換えにあたって、小さなスイッチを探して操作するなど、面倒であると共に注意深く操作しなければならず、また瞬時に直感的に切り換えることはできなかった。一方、複数画面を有するカメラは提案されているが、この複数画面を利用して、動画と静止画を簡単に切り換えて撮影することのできるカメラは提案されていない。
【０００６】
本発明は、このような事情を鑑みてなされたものであり、単純な構成で動画モードと静止画モードを簡単に切り換えることのできるカメラおよびカメラの制御方法を提供することを目的とする。
【課題を解決するための手段】
【０００７】
上記目的を達成するため第１の発明に係わるカメラは、互いの位置関係を重ねた第１の状態と、並べた状態の第２の状態に変化可能な第１および第２の表示部を有する表示装置において、上記第１および第２の表示部における上記第１および第２の状態変化を検出する検出部と、上記検出部によって検出された上記状態変化に従って、静止画撮影モードから動画撮影モードに切り換える切換制御部と、を有する。
【０００８】
第２の発明に係わるカメラは、上記第１の発明において、上記第１の表示部に設けられたタッチパネルと、上記タッチパネルへの操作時に、上記第１の表示部に表示した動画の動きを停止させる表示制御部と、を有する。
第３の発明に係わるカメラは、上記第２の発明において、上記表示制御部は、上記停止した動画に基づいて静止画を切り出し、上記第２の表示部に表示する。
【０００９】
第４の発明に係わるカメラは、第１の表示部と、上記第１の表示部を覆う第１の状態と、上記第１の表示部を露呈させる第２の状態とに相対的に移動可能な第２の表示部と、上記第１および第２の状態変化を検出する検出部と、上記検出部によって検出された上記状態変化に従って、静止画モードと動画モードのいずれかに切り換える切換制御部と、を有する。
【００１０】
第５の発明に係わるカメラは、上記第４の発明において、上記カメラはさらに、被写体像を光電変換し、画像データを出力する撮像部と、上記画像データを入力し、静止画用画像データおよび動画用画像データを出力する画像処理部と、上記静止画用画像データおよび動画用画像データを記録する記録部と、を有する。
第６の発明に係わるカメラは、上記第４の発明において、上記切換制御部によって静止画モードから動画モードに切り換えられた際に、上記第１の表示部は動画表示を、上記第２表示部は静止画表示を行う。
【００１１】
第７の発明に係わるカメラは、上記第４の発明において、上記動画モードに切り換えられた後、上記第１の表示部に対して静止画撮影を指示されたことを検知する指示検知部を有し、この指示検知部によって静止画撮影の指示を検知すること、上記画像データに基づいて上記画像処理部は静止画用画像データを生成する。
【００１２】
第８の発明に係わるカメラは、上記第７の発明において、上記指示検知部によって上記指示がなされた場合、直ちに上記生成された静止画用画像データを記録する。
第９の発明に係わるカメラは、上記第７の発明において、上記指示検知部は、上記指示に続く第２の指示を検知可能であり、上記第２の指示を検知した場合に、上記生成された静止画用画像データを記録する。
第１０の発明に係わるカメラは、上記第７ないし第９の発明において、上記指示検知部は、タッチパネルである。
【００１３】
第１１の発明に係わるカメラは、上記第４の発明において、上記第１および第２の表示部は、互いに摺動可能、または回動可能である。
第１２の発明に係わるカメラは、上記第４の発明において、動画用画像データを記録する際には、フレームごとに撮影日時情報を記録し、また静止画画像データを記録する際には、上記フレームごとの撮影日情報とリンクするように撮影日時情報を記録する。
【００１４】
第１３の発明に係わるカメラは、上記第４の発明において、再生モードに設定されたか否かを判定する再生モード判定部を有し、上記切換制御部によって、上記動画用モードに切り換えられた後、上記再生モード判定部によって再生モードに設定されたことを判定すると、動画を再生可能とする。
【００１５】
第１４の発明に係わるカメラは、上記第１３の発明において、上記再生モード判定部によって、再生モードが設定されたことを判定すると、上記第１の表示部または上記第２の表示部のいずれかに、動画のサムネイル及び／又はインデックス表示を選択用に表示し、選択用に表示されているとは異なる他の表示部に、選択された動画を表示する。
第１５の発明に係わるカメラは、上記第１３の発明において、上記再生モードが設定された後、動画の再生中に、指示がなされた場合に、静止画記録を行う。
【００１６】
第１６の発明に係わるカメラの制御方法は、互いの位置関係を第１の状態と第２の状態に変更可能な第１および第２の表示部の状態変化を検出し、上記検出された状態変化に従って、静止画モードと動画モードのいずれかに切り換える。
【発明の効果】
【００１７】
本発明によれば、少なくとも２つの表示部を利用して、動画モードと静止画モードを簡単に切り換えることのできるカメラおよびカメラの制御方法を提供することができる。
【図面の簡単な説明】
【００１８】
【図１】本発明の一実施形態に係わるカメラの構成を示すブロック図である。
【図２】本発明の一実施形態に係わるカメラのスライド機構を説明するための図であり、（ａ）はカメラの長手方向と直交する方向に沿っての要部断面図であり、（ｂ）はカメラ本体１０ａからスライド部１０ｂを離間した引出状態において背面側からみた一部透視図であり、（ｃ）はカメラ本体１０ａ上にスライド部１０ｂを重ねた収納状態において背面側から見た一部透視図である。
【図３】本発明の一実施形態に係わるカメラにおいて、使用状態を示す図であり、（ａ）はスライド部をスライドさせた状態で、正面側から見た外観斜視図であり、（ｂ）は（ａ）の状態において背面側から見た外観斜視図であり、（ｃ）は本体に対してスライド部を閉じた状態で背面側から見た外観斜視図である。
【図４】本発明の一実施形態に係わるカメラにおいて、動画表示状態において静止画撮影を行う様子を示す図である。
【図５】本発明の一実施形態におけるカメラにおいて、スライド部の変形例を示す背面側から見た外観斜視図である。
【図６】本発明の一実施形態におけるカメラにおいて、カメラ制御の動作を示すフローチャートである。
【図７】本発明の一実施形態におけるカメラにおいて、動画再生の動作を示すフローチャートである。
【図８】本発明の一実施形態に係わるカメラにおいて、本体とスライド部の変形例であって（ａ）〜（ｄ）は背面側から見た外観斜視図であり、使用状態を示す。
【図９】本発明の一実施形態に係わるカメラにおいて、本体とスライド部の別の変形例であって、（ａ）〜（ｃ）は背面側から見た外観斜視図であり、使用状態を示す。
【発明を実施するための形態】
【００１９】
以下、図面に従って本発明を適用したデジタルカメラを用いて好ましい実施形態について説明する。図１は、本発明の一実施形態に係わるカメラ１０の構成を示すブロック図である。このカメラ１０は、カメラ本体１０ａとスライド部１０ｂから構成され、カメラ本体１０ａは、画像処理及び制御部１、撮像部２、撮影レンズ２ａ、表示制御部３、記録部４、ストロボ部５、操作判定部６、タッチパネル６ｂ、動き判定部７、第１の表示部としての表示部８ａ、および時計部９から構成されている。また、スライド部１０ｂは、カメラ本体１０ａに対して摺動自在であり、スライド部１０ｂ内には第２の表示部としての表示部８ｂが配置されている。
【００２０】
撮像部２は撮影レンズ２ａや、シャッタ等の露出制御部、撮像素子、撮像素子の駆動及び読出回路等を含み、撮影レンズによって形成された被写体像を撮像素子によって画像データに変換する。また、撮像部２は、画像データを静止画用および動画画像用のデータを出力可能である。
【００２１】
画像処理及び制御部１は、記憶されているプログラムに従ってカメラ１０の全体のシーケンスを制御する。また、撮像部２から出力される画像信号を取り込み、間引き処理、エッジ強調、色補正、動画画像処理、画像圧縮等の種々の画像処理を行い、ライブビュー表示、記録部４への記録、再生表示等のための画像処理を行う。画像処理及び制御部１内には、表示制御部３が設けられており、後述する表示部８ａおよび表示部８ｂにおける表示を制御する。
【００２２】
記録部４は、撮像部２から出力され、画像処理および制御部１で画像処理された静止画および動画の画像データの記録を行う。撮影時には、動画を撮影し、またユーザの指定するタイミングで静止画も撮影可能であり、記録部４は撮影状態に応じて動画と静止画の両方の画像データを記録できる。また、記録にあたっては、後述する時計部９から出力される日時情報に基づく撮影日時情報等も静止画および動画の両方に画像データと併せて記録する。動画の場合には、フレームごとに撮影日時情報を記録する。これによって静止画および動画について、日時情報を用いて画像検索を行うことが可能となり、特に動画の場合には、フレーム検索が簡単にできる。
【００２３】
操作判定部６はレリーズ釦６ａ（図３、図４参照）、メニュー釦、再生釦、動画再生終了釦等の操作部材の操作状態を判定し、判定結果は、画像処理及び制御部１に送信する。前述の画像処理及び制御部１は、操作判定部６による判定結果に応じてカメラ１０の制御を行う。動き判定部７は、磁石および磁気センサ等の位置検出センサを含み、カメラ本体１０ａに対するスライド部１０ｂの動きを検出する。なお、動き判定部７は、磁石と磁気センサの組み合わせ以外にも、例えば、機械的スイッチでも良く、また発光源と光センサの組み合わせ等、カメラ本体１０ａとスライド部１０ｂの相対的位置関係を検出できるものであれば構わない。この動き判定部７による判定結果は、操作判定部６に送られ、スライド部１０ｂの操作の判定に使用する。
【００２４】
時計部９は、日時情報を出力する。この日時情報は前述したように画像データを記録部４に記録する際に併せて記録される。ストロボ部５は、カメラ本体１０ａの正面側に配置されており、被写体に対して補助光を照明する内蔵の補助照明装置である。
【００２５】
第１の表示部としての表示部８ａは、液晶モニタ等の表示パネルを有し、カメラ本体１０ａの背面に配置されている。後述するスライド部１０ｂがカメラ本体１０ａを覆う位置にある収納状態においては、表示部８ａはスライド部１０ｂによって覆われ、露呈しない。表示部８ａが露呈する状態においては、表示部８ａはライブビュー表示および動画撮影時の撮影画像を表示する。また再生時には、この表示部８ａは、記録部４に記録されている動画のサムネイルやインデックスを表示する。
【００２６】
タッチパネル６ｂは、表示部８ａの前面側に配置されている。カメラ本体１０ａ上の表示部８ａは、スライド部１０ｂをスライドさせた状態であっても、カメラを持ちながら操作しやすいことから、タッチパネル６ｂが表示部８ａの前面に設けられている。タッチパネル６ｂは透明であり、表示部８ａでの表示画像を、タッチパネル６ｂを通して観察することができる。ユーザが指等でタッチパネル６ｂの表面をタッチすると、タッチした位置を示す信号が画像処理及び制御部１に送信される。タッチパネル６ｂは、表示されているデータに直接触れることによって、いわゆるタンジブルな性格を有し、デジタルデータを、直感的、触感的に扱う際に、効果を奏する。後述するように、動画撮影モードに設定されている際に、タッチすることにより、その時点で静止画を固定し、また、表示部８ａの表示面を指等でスライドさせることにより、静止画を記録することができる。
【００２７】
スライド部１０ｂはカメラ本体１０ａに対して摺動可能であり、スライド部１０ｂをカメラ本体１０ａ上に重ねた収納状態と、スライド部１０ｂがカメラ本体１０ａから離間された引出状態の２つの状態に移動可能である。第２の表示部としての表示部８ｂは、スライド部１０ｂの背面に配置されており、液晶モニタ等の表示パネルを有している。
【００２８】
スライド部１０ｂが収納状態の場合には、表示部８ａはスライド部１０ｂによって覆われ、表示部８ｂのみが露呈する。また、スライド部１０ｂをカメラ本体１０ａから離間させ引出状態とすると、表示部８ａおよび表示部８ｂの両方が露呈状態となる。
【００２９】
表示部８ｂは、収納状態においては、通常の静止画撮影用の画面として機能し、ライブビュー表示を行い、また、再生時には静止画表示を行う。また、表示部８ｂは、引出状態においては、静止画撮影用の画面として機能し、動画撮影が行われている際に、表示部８ａの画面がタッチされ、さらに、撮影者が指等を画面上でスライドすると、表示部８ｂに記録静止画が表示される。
【００３０】
次に、カメラ本体１０ａとスライド部１０ｂからなるカメラ１０の構造について図２を用いて説明する。図２（ａ）はカメラ１０の長手方向と直交する方向に沿っての要部断面図であり、図２（ｂ）はカメラ本体１０ａからスライド部１０ｂを離間した引出状態において背面側からみた一部透視図であり、図２（ｃ）はスライド部１０ｂをカメラ本体１０ａ上に重ねた収納状態において背面側から見た一部透視図である。
【００３１】
スライド部１０ｂのレール１１は、カメラ本体１０ａの溝部１２に嵌合しており、このためスライド部１０ｂはカメラ本体１０ａに摺動自在に支持されている。スライド部１０ｂの摺動範囲は留め金によって規制されており、スライド部１０ｂがカメラ本体１０ａから外れることはない。カメラ本体１０ａには、撮影レンズ２ａが本体の片側（正面側）に配置されており、また撮影レンズ２と反対側（背面側）には表示部８ａが配置されている。
【００３２】
また、カメラ本体１０ａであって、スライド部１０ｂの摺動通路上に、動き判定部７を構成する磁気センサ７ａ、７ｂが配置されている。また、スライド部１０ｂであって、磁気センサ７ａ、７ｂの摺動通路上には磁石７ｃが固定されている。磁気センサ７ａ、７ｂによって、磁石７ｃの磁気を検出することにより、スライド部１０ｂが引出状態の方向に移動しているか（開いているか）、またスライド部１０ｂが収納状態の方向に移動しているか（閉じているか）を判定することができる。
【００３３】
引出状態でカメラ１０を背面側から見ると、図２（ｂ）に示すように、２つの表示部８ａ、８ｂが並んでおり、一方、収納状態では、図２（ｃ）に示すように、スライド部１０ｂがカメラ本体１０ａ上に重なって、表示部８ｂのみが見える。また、引出状態では、表示部８ａ上に配置されたタッチパネル６ｂも露呈されることから、ユーザによるタッチ操作が可能となる。
【００３４】
図３は、本実施形態におけるカメラの使用状態を示す図であり、図３（ａ）（ｂ）はカメラ本体１０ａからスライド部１０ｂを摺動させ引出状態にした様子であり、また、（ｃ）はカメラ本体１０ａにスライド部１０ｂを重ねた収納状態にした様子を示す。通常の静止画撮影は、図３（ｃ）に示す収納状態で行い、動画撮影は、図３（ａ）（ｂ）に示す引出状態で行う。カメラ本体１０ａの正面には、図３（ａ）に示すように、撮影レンズ２ａおよびストロボ部５が配置され、これらは収納状態であっても引出状態であっても使用可能である。また、カメラ本体１０ａの上面にはレリーズ釦６ａが配置されている。
【００３５】
図３（ｃ）に示す収納状態では、通常のカメラと同様に、カメラ１０の背面側に配置された表示部８ｂに、ライブビュー表示が行われる。撮影者はライブビュー表示に基づいて構図の設定を行い、構図が決まると、レリーズ釦６ａを操作することにより、静止画撮影を行うことができる。レリーズ操作後、所定時間の間、表示部８ｂには、静止画が表示される。
【００３６】
図３（ｂ）に示す引出状態では、カメラ１０の背面側に２つの表示部８ａ、８ｂが並んで露呈している。この状態では、表示部８ａを動画用の画面とし、表示部８ｂを静止画用の画面とする。すなわち、動画モードにおいては、図４に示すように、表示部８ａにライブビュー表示を行い、撮影者がレリーズ釦６ａを操作すると動画の撮影を開始し、このときの動画は表示部８ａに表示される。
【００３７】
動画表示中に、撮影者が指等で表示部８ａをタッチすると画像が固定され、表示部８ａに静止画が表示される。静止画が表示されている状態で、図４に示すように、指等をそのまま表示部８ａの表面でスライドさせると、静止画の画像データが記録される。また同時に第２の表示部としての表示部８ｂに、撮影画像を縮小したインデックス８ｂａが表示される。表示部８ｂにインデックス表示がなされ指等が表示部８ａから離れると、表示部８ａに動画が表示される。動画撮影中に、再び、レリーズ釦６ａが操作されると、動画撮影を終了する。タッチすることにより、動画の一瞬が押さえられたという直感的なインターフェースになり、さらに、この静止画を指等で表示部８ｂの方向に移動させることによって、記録するという直感的なインターフェースにもなる。このとき、記録された静止画は表示部８ｂにインデックス表示されることから、ユーザに記録されたという安心感を与えることができる。なお、指以外にもタッチペン等、表示画面をタッチできるものであれば良い。この場合、必ずしも表示面を押圧していなくても良く、表示面に接近したことを検知するものでも良い。また、ここでスライドは、指等でタッチした状態のままで移動することを言う。
【００３８】
このように、本実施形態においては、スライド部１０ｂをカメラ本体１０ａに重ね収納状態とすると、静止画モードとなり、第２の表示部としての表示部８ｂが静止画撮影用として機能する。また、スライド部１０ｂをカメラ本体１０ａからスライドし引出状態とすると、動画モードとなり、第１の表示部としての表示部８ａは動画表示用、第２の表示部としての表示部８ｂは静止画表示用として機能する。
【００３９】
言い換えると、本実施形態においては、スライド部１０ｂの開閉機能を利用して、静止画撮影モードと動画撮影モードの切り換えを行っている。このため、静止画はスライド部１０ｂを収納状態のまま、つまり、通常のカメラ１０の携帯時の形態のままで撮影できることから、直ちに静止画撮影を行うことができ、決定的瞬間を逃すことがない。一方、動画撮影も、スライド部１０ｂを引き出すだけであるので、とっさの撮影も可能であるが、静止画撮影の場合と比較し、被写体の動きを楽しむのが主であり、また速写性もそれほど要請されていないので、引出状態での撮影で十分といえる。
【００４０】
なお、本実施形態は、カメラ本体１０ａの長手方向と直交する方向にスライドしているが、これに限らず、図５に示すように、長手方向に沿ってスライドするようにしても、勿論かまわない。
【００４１】
次に、本実施形態の動作について、図６および図７を用いて説明する。図６は、カメラ制御の動作を示すフローチャートであり、カメラ本体１０ａに電源電池が装填されると動作を開始する。
【００４２】
カメラ制御の動作が開始すると、まず、スライド部１０ｂが開いているか否かの判定を行う（Ｓ１００）。ここでは、磁気センサ７ａ、７ｂからの信号に基づいて、カメラ本体１０ａに対してスライド部１０ｂが引き出されているか否かの判定を行う。この判定の結果、開いていなかった場合、すなわち、スライド部１０ｂがカメラ本体１０ａから引き出されていない場合、すなわち収納状態であった場合には、静止画モードに入る。静止画モードでは、図３（ｃ）を用いて前述したように、レリーズ釦６ａが操作されると、撮影が行われ静止画の画像データが記録される。また、静止画の再生も行うことができる。静止画モードの処理を行うと、ステップＳ１００に戻る。
【００４３】
ステップＳ１００における判定の結果、スライド部１０ｂが開いていた場合には、次に、撮影モードか否かの判定を行う（Ｓ１０１）。この判定の結果、撮影モードであれば、スライド部１０ｂが引出状態であることから動画撮影モードとなる。動画撮影モードとなると、第１の表示部としての表示部８ａにライブビュー表示を行う（Ｓ１０２）。ここでは、撮像部２からの画像データに基づいて、表示部８ａに被写体像をライブビュー表示するので、撮影者はこの表示を観察して構図を決めることができる。
【００４４】
続いて、第２の表示部としての表示部８ｂにモード表示を行う（Ｓ１０３）。ここでは、表示部８ｂに、撮影モード、露出制御値、画角等が表示されるので、撮影者はこれらの情報を見ながら、適宜、設定を行う。モード表示を行うと、次に、第１の表示部（第１画面）としての表示部８ａがタッチされたか否かの判定を行う（Ｓ１０４）。ここでは、タッチパネル６ｂからの信号に基づいて、表示部８ａの表示面がタッチされたか否かを判定する。
【００４５】
ステップＳ１０４における判定の結果、タッチされていた場合には、次に、静止画取得を行う（Ｓ１０７）。ここでは、タッチされた瞬間の画像の画像データを取得する。続いて、撮影日時情報と共に静止画の画像データを記録部４に記録する（Ｓ１０８）。なお、静止画像取得時には所定時間の間、記録静止画像を表示部８ｂに表示する。このため、撮影者は、撮影されたか否かをすぐに確認することができる。
【００４６】
ステップＳ１０８において静止画の記録を行うと、またはステップＳ１０４における判定の結果、第１画面（表示部８ａ）をタッチしていなかった場合には、次に、撮影を行うか否かの判定を行う（Ｓ１０５）。ここでは動画撮影モードに設定されていると判定された場合であり、ステップＳ１０５において、レリーズ釦６ａが操作された場合には、動画撮影開始と判定され、再度、レリーズ釦６ａが操作された場合には、動画撮影終了と判定される。撮影開始と判定されると、以後、撮影終了と判定されるまで、ステップＳ１０５ではＹｅｓとして進む。
【００４７】
ステップＳ１０５における判定の結果、撮影であった場合には、動画撮影を行い、先頭静止画を第２画面（表示部８ｂ）に表示する（Ｓ１２１）。ここでは、撮像部２からの画像データを画像処理及び制御部１において画像処理して表示部８ａに動画で表示し、同時に、記録部４に記録する。以後、ステップＳ１０５において撮影終了と判定されるまで、動画の画像データを記録部４に記録し続ける。また、動画撮影開始時の先頭静止画を表示部８ｂに表示すると共に記録部４に記録する。これによって、動画再生時に検索が容易になる。
【００４８】
動画撮影を開始すると、次に、第１画面（表示部８ａ）がタッチされたか否かの判定を行う（Ｓ１２２）。撮影者は、動画撮影時に動画に加えて静止画の記録を行いたい場合には、図３（ａ）（ｂ）および図４を用いて説明したように、表示部８ａの画面をタッチする。このステップでは、タッチパネル６ｂからの信号に基づいて、撮影者がタッチしたか否かを判定する。この判定の結果、第１画面（表示部８ａ）がタッチされていなかった場合には、ステップＳ１００に戻る。
【００４９】
ステップＳ１２２における判定の結果、第１画面（表示部８ａ）がタッチされていた場合には、第１画面（表示部８ａ）の画像を停止する（Ｓ１２３）。表示部８ａには、動画撮影されている画像が表示されているが、撮影者が表示部８ａをタッチした瞬間の画像データを固定する。このときの静止画は表示部８ａに表示されるので、撮影者は意図するタイミングで静止画を撮影することができたか否かを判定することができる。なお、このときも動画の画像データの記録は並行して行われている。
【００５０】
画像を停止すると、次に、撮影者の指等がスライドしたか否かを判定する（Ｓ１２４）。撮影者が静止画を見て意図通りの静止画が得られ、これを記録部４に記録することを望む場合には、タッチした指等を、図４において説明したように、スライドさせる。このステップでは、タッチパネル６ｂからの信号に基づいて、指等がスライド等の動きをしたか否かの判定を行う。
【００５１】
ステップＳ１２４における判定の結果、指等をスライドさせていなかった場合には、動画表示の再開を行う（Ｓ１２５）。ステップＳ１２３において停止した画像が、撮影者の意図したタイミングや構図でなかった場合には、指等をスライドすることなく、画面から離すので、その場合には、ステップＳ１２５において、動画表示を再開させ、ステップＳ１０５に戻る。また、後述するステップＳ１２７において静止画を記録した場合には、記録後に再度ステップＳ１２４の判定を行い、ステップＳ１２５に進み、動画表示の再開を行う。
【００５２】
ステップＳ１２４における判定の結果、指等がスライドしていた場合には、次に、静止画像を取得し、第２画面（表示部８ｂ）に表示する（Ｓ１２６）。前述したように、撮影者がタッチした際には表示部８ａに表示するが、指等をスライドすることにより、静止画は表示部８ａから表示部８ｂに移る。
【００５３】
静止画像の取得を行うと、次に、動画と関連付けて、撮影日時情報と共に記録する（Ｓ１２７）。ここでは、取得した静止画像を記録部４に記録するが、記録の際に、時計部９によって取得した撮影日時情報を記録する。また、動画も記録の際には、フレーム単位で撮影日時情報が記録されることから、静止画と動画が関連付けて記録されることになる。動画と関連付けて静止画を記録すると、ステップＳ１００に戻る。
【００５４】
動画撮影中にレリーズ釦６ａが再度操作され、ステップＳ１０５において、撮影終了と判定されると、撮影終了処理を行い（Ｓ１０６）、終了操作が終わると、ステップＳ１００に戻る。
【００５５】
ステップＳ１０１における判定の結果、撮影モードでなかった場合には、次に、再生モードか否かの判定を行う（Ｓ１１１）。この判定の結果、再生モードでなかった場合には、ステップＳ１００に戻る。一方、再生モードであった場合には、動画再生を行う（Ｓ１１２）。この動画再生においては、記録部４に記録されている動画の再生を行う。この動画再生の詳しい動作については、図７を用いて後述する。動画再生を行うと、ステップＳ１００に戻る。
【００５６】
このように、カメラ制御のフローにおいては、第１画面（表示部８ａ）および第２画面（表示部８ｂ）を露呈させると、動画撮影モードに切り替えることができるので、簡単に、静止画モードと動画モードに切り替えることができる。また、動画モードで動画撮影開始前でも、開始後でも、第１画面（表示部８ａ）をタッチすることにより、静止画を記録することができる。単にタッチするだけで良いことから、瞬時に静止画撮影を行うことができ、撮影タイミングを逃すことがない。
【００５７】
さらに、表示部８ａをタッチすることにより、動画を固定して静止画を生成し、この静止画を表示部８ａで確認した後、スライドすることにより、静止画を記録するようにしている。このため、シャッタタイミングや構図を確認した後、記録することができる。さらに、表示部８ａに表示されていた静止画が、指等でスライドすることにより、静止画表示用の表示部８ｂに移動し、ここに静止画が表示されることから、撮影者は記録されたことを確認することができ、安心感を得ることができる。さらに、静止画を記録するにあたって、動画のフレームの撮影日時情報とリンクさせるようにしている。このため、動画の再生にあたって、検索を容易にすることができる。
【００５８】
なお、本実施形態においては、動画の撮影前には、タッチした際に直ちに記録を行っているが、これに限らず、ステップＳ１２４〜Ｓ１２７と同様に、指等でスライドした場合に記録を行うようにしても良い。また、動画の撮影後には、タッチしてから指等でスライドした場合に、記録を行うようにしていたが、これに限らず、ステップＳ１０４〜Ｓ１０８と同様に、タッチした際に直ちに記録を行うようにしても良い。
【００５９】
次に、ステップＳ１１２の動画再生について、図７を用いて説明する。この動画再生のフローに入ると、まず、第１画面（表示部８ａ）にサムネイルとインデックス表示を行う（Ｓ１５１）。動画撮影を行う際には、ステップＳ１２１において先頭静止画が記録されており、また、ステップＳ１２７において動画撮影中に撮影された静止画が記録されているので、このステップＳ１５１においては、これらの先頭静止画をサムネイル表示し、また、静止画をインデックス表示する。動画再生は、スライド部１０ｂを引き出した引出状態で行うことから、表示部８ａは露呈されており、サムネイル表示とインデックス表示を、この表示部８ａに行う。
【００６０】
次に、選択されたか否かの判定を行う（Ｓ１５２）。サムネイル表示とインデックス表示を表示部８ａに行っており、これらの画像の中でユーザが見たい画像がある場合には、その画像をタッチする。そこで、このステップでは、タッチパネル６ｂからの信号に基づいて、いずれかの画像がタッチされたか否かの判定を行う。なお、タッチに限らず、カメラ１０に設けられている十字釦等によって画像を選択するようにしても良い。
【００６１】
ステップＳ１５２における判定の結果、何も選択されていなかった場合には、動画再生のフローを終了して、元のフローに戻る。一方、選択された場合には、次に、第２画面（表示部８ｂ）に選択サムネイルまたはインデックスの動画を再生する（Ｓ１５３）。ここでは、選択されたのがサムネイルの場合には、その動画を最初から再生し、また選択されたのがインデックスの場合には、その静止画を撮影した時点から動画を再生する。
【００６２】
動画再生すると、次に、終了か否かの判定を行う（Ｓ１５４）。ここでは、選択された動画が最後まで再生されたか、または、動画再生中にユーザによって動画再生終了釦等の操作部材を操作したか否かを判定する。この判定の結果、終了でなかった場合には、次に、スライド部１０ｂが閉じたか否かの判定を行う（Ｓ１５５）。ここでは、磁気センサ７ａ、７ｂからの信号に基づいて、カメラ本体１０ａに対してスライド部１０ｂが重なるように移動されて収納状態となったか否かの判定を行う。
【００６３】
ステップＳ１５５における判定の結果、閉じられた場合には、第２画面（表示部８ｂ）に選択動画を再生継続する（Ｓ１５６）。ステップＳ１５３において、表示部８ｂにおける動作再生を開始しており、スライド部１０ｂが閉じられて収納状態となっても、そのまま動画再生を続行する。したがって、スライド部１０ｂを閉じて、コンパクトなスタイルになった状態でも再生は継続される。動画の再生を継続すると、ステップＳ１５２に戻る。
【００６４】
一方、ステップＳ１５５における判定の結果、閉じていなかった場合には、次に、タッチされたか否かの判定を行う（Ｓ１５７）。動画再生中に動画の一部を静止画に残したいシーンがある場合には、ユーザは表示部８ａの表示部をタッチするので、このステップにおいては、タッチパネル６ｂによって表示部８ａがタッチされたか否かの判定を行う。
【００６５】
ステップＳ１５７における判定の結果、タッチされていなかった場合には、ステップＳ１５２に戻る。一方、判定の結果、タッチされていた場合には、静止画の記録を行う（Ｓ１５８）。ここでは、タッチされた瞬間の動画の画像データから、静止画用の画像データを生成し、この静止画画像データを記録部４に記録する。なお、静止画の記録にあたっては、ステップＳ１２２〜Ｓ１２７と同様に、タッチで動画を停止し、指等のスライドにより画像記録をおこなうようにしても勿論かまわない。この場合には、一旦、静止画像を確認してから記録を行うことができる。静止画記録を行うと、ステップＳ１５２に戻る。
【００６６】
ステップＳ１５２において画像が選択されると、動画の再生が始まり、ステップＳ１５３〜Ｓ１５８を実行する間、動画が再生される。この間、ステップＳ１５４において、動画再生が終了と判定されると、再生終了処理を行う（Ｓ１５９）。再生終了処理を行うと、動画再生の動作を終了して、元のフローに戻る。
【００６７】
このように、本実施形態における動画再生においては、第１の表示部（表示部８ａ）および第２の表示部（表示部８ｂ）を露呈させると、動画再生モードに切り替えることができるので、簡単に、静止画モードと動画モードに切り替えることができる。また、第１の表示部（表示部８ａ）に、サムネイルやインデックス表示を行い、第２の表示部（表示部８ｂ）に動画を再生表示するようにしている。このため、多数の動画が記録されている場合に、容易に目的とする画像を探すことができると共に、画面が整理されているので見やすい。
【００６８】
さらに、動画撮影中に撮影された静止画もインデックス表示で動画選択できるようにしている。このため、動画中の画像を探しやすく、また、その箇所から動画の再生を開始させることができる。さらに、動画の再生中に、静止画として記録することができる。このため、静止画として楽しむことができ、また、動画再生の際のインデックスとしても利用することができる。
【００６９】
なお、本実施形態においては、第１および第２の表示部（表示部８ａ、８ｂ）が露呈している引出状態において、動画再生中に静止画記録を行うことができたが、これに限らず、第２の表示部（表示部８ｂ）の前面にタッチパネルを配置し、収納状態においてもタッチすることにより、静止画の記録を行うようにしても良い。
【００７０】
本実施形態においては、第１および第２画面（表示部８ａ、８ｂ）を、スライド可能に構成し、これらの画面に動画用と静止画用の機能を分担させていた。しかし、本発明は、第１および第２画面をスライドさせるものに限られるものではない。例えば、図８に示すように、カメラ本体１０ａと第２表示体１０ｃを回動自在に構成するようにしても良い。
【００７１】
図８は、本発明の一実施形態の変形例を示し、図８（ａ）は第２表示体１０ｃがカメラ本体１０ａの背面側に重なっている収納状態を示し、図８（ｂ）は第２表示体１０ｃをカメラ本体１０ａから開いた状態を示し、図８（ｃ）は開いた状態において第２表示体１０ｃのみを回動させ、図８（ｄ）は２つの表示部８ａ、８ｂが並ぶようにした引出状態を示す。
【００７２】
本変形例において、カメラ本体１０ａと第２表示体１０ｃは、一実施形態においてスライド機構の部分を除けば略同様の構成である。カメラ本体１０ａと第２表示体１０ｃは、ヒンジ１４によって連結されている。ヒンジ１４は、図８（ｂ）に示すように、矢印Ａの方向に回動自在であり、また、図４（ｃ）に示すように矢印Ｂの方向にも回動自在である。
【００７３】
図８（ａ）は、通常の携帯時の形態であると共に、静止画撮影時の形態である。この状態から、図８（ｂ）（ｃ）に示すように、第２表示体１０ｃを矢印Ａの方向に回動させた後、矢印Ｂの方向に回動させることにより、図８（ｄ）に示すように、表示部８ａ、８ｂを並べて露呈させることができる。この状態で、表示部８ａを動画用に、表示部８ｂを静止画用に、本発明の一実施形態と同様に機能を分担させることができる。
【００７４】
また、本発明の一実施形態やその変形例では、第１および第２表示面（表示部８ａ、８ｂ）を同じ面に並べて表示するようにしていたが、これに限らず、表示面自体が同じ方向を向かなくても構わない。図９は表示面が同じ方向を向いていない他の変形例を示す。
【００７５】
本発明の一実施形態の他の変形例の構成は、一実施形態と略同様であるが、レリーズ６ａが第２表示体１０ｃに設けられており、また、カメラ本体１０ａの表示部８ａと同じ面に第２撮像部１６が設けられている点で相違する。また、変形例と同じく、カメラ本体１０ａと第２表示体１０ｃの間はヒンジ１５によって連結されている。ただし、変形例においては、ヒンジ１４は２軸周りに回動自在であったが、ヒンジ１５は矢印Ａの方向にのみ回動自在である。
【００７６】
本変形例においても、収納状態では、図９（ａ）に示すように、第２表示体１０ｃはカメラ本体１０ａの背面側を覆っており、この状態では表示部８ａは露呈していない。ヒンジ１５によって矢印Ａの方向に回動させると、図９（ｂ）の状態を経て、図９（ｃ）に示すように引出状態となる。この引出状態では、カメラ本体１０ａの撮影レンズ２ａ側を正面とすると、第２表示体１０ｃの表示部８ｂは正面を向いている。また、カメラ本体１０ａの表示部８ａは背面側を向き、また第２撮像部１６も背面側を向いている。
【００７７】
本変形例では、図９（ａ）に示す収納状態は、静止画モードであり、表示部８ｂにおいてライブビュー表示や撮影時の画像の確認、および静止画の再生表示を行うことができる。また、図９（ｃ）に示す引出状態は、動画モードであり、第２撮像部１６によって撮像を行う。表示部８ａは、本発明の一実施形態と同様、静止画用として機能し、表示部８ｂは動画用として機能する。
【００７８】
以上説明したように、本発明の一実施形態および変形例においては、少なくとも第１および第２の表示部を有し、第１および第２の表示の位置関係に応じて、静止画モードから動画モードに切り換えるようにしている。このため、動画と静止画を簡単に切り換えて撮影することができる。また、再生表示する際にも、簡単に切り換えを行うことができる。
【００７９】
また、本発明の一実施形態および変形例においては、動画撮影モードに切り換え後、表示部をタッチすることにより、静止画の記録を可能としている。このため、撮影のタイミングを逃すことがない。さらに、静止画の記録を行う前に、静止画を確認することができる。このため、撮影者の意図に沿わない画像であった場合には、撮り直すことができる。
【００８０】
なお、本発明の一実施形態および変形例においては、動画撮影モードで静止画を撮影する場合にはタッチすることによって行っていた。しかし、これに限らず、表示画面やカメラをタップ（叩く）したことを検知して、このタイミングで静止画を撮影するようにしても良い。
【００８１】
また、本発明の一実施形態および変形例においては、静止画を記録する前に、事前に確認した後に、指等をスライドさせることによって、静止画を記録部に記録していた。しかし、この指示はスライド以外にも、例えば、操作釦等の操作部材を操作することによって行うようにしても良い。
【００８２】
さらに、本発明の一実施形態および変形例においては、表示部８ａを動画用とし、表示部８ｂを静止画用としたが、逆にしても勿論かまわない。
【００８３】
さらに、本発明の一実施形態および変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、動画と静止画の切り換えができ、表示部として２画面を設けることが可能な機器であれば、本発明を適用することができる。
【００８４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８５】
１・・・画像処理及び制御部、２・・・撮像部、２ａ・・・撮影レンズ、３・・・表示制御部、４・・・記録部、５・・・ストロボ部、６・・・操作判定部、６ａ・・・レリーズ釦、６ｂ・・・タッチパネル、７・・・動き判定部、７ａ・・・磁気センサ、７ｂ・・・磁気センサ、７ｃ・・・磁石、８ａ・・・表示部、８ｂ・・・表示部、８ｂａ・・・インデックス、９・・・時計部、１０・・・カメラ、１０ａ・・・カメラ本体、１０ｂ・・・スライド部、１０ｃ・・・第２表示体、１１・・・レール、１２・・・溝部、１４・・・ヒンジ、１５・・・ヒンジ、１６・・・第２撮像部
【図１】
2010206366.tif 000003
【図２】
2010206366.tif 000004
【図３】
2010206366.tif 000005
【図４】
2010206366.tif 000006
【図５】
2010206366.tif 000007
【図６】
2010206366.tif 000008
【図７】
2010206366.tif 000009
【図８】
2010206366.tif 000010
【図９】
2010206366.tif 000011